(57)【要約】【課題】縁起の良い和の伝統素材である水引を使用して、慶弔の場や家の各所を色鮮やかに飾る水引花を提供する。【解決手段】水引花本体１は、鉢５と、鉢５の上端の略中央にその下端が固定された茎部４２ｃ、４２ｅ、４３ｂ、４４ａと、茎部４３ｂの上端に固定された茎部４２ｂと、茎部４４ａの上端に固定された茎部４２ａ及び茎部４３ａと、茎部４２ａの上端に固定された花部２ａと、茎部４２ｂの上端に固定された花部２ｂと、茎部４２ｃの上端に固定された花部２ｃと、茎部４２ｃの下端から上端までの間に分岐させた先端に固定された花部２ｄと、茎部４２ｅの上端に固定された花部２ｅと、茎部４３ａの上端に固定された葉部３ａと、茎部４３ｂの上端に固定された葉部３ｂと、鉢５の上端に固定された葉部３ｃとを備える。【選択図】図３
0003181388.tif 000002
【実用新案登録請求の範囲】
【請求項１】
第１の茎部の上端に固定された花部を備え、少なくとも一部が水引で形成されていること
を特徴とする水引花。
【請求項２】
第１の茎部と異なる第２の茎部の上端に固定された葉部を備え、前記葉部は、少なくとも一部が水引で形成されていること
を特徴とする請求項１記載の水引花。
【請求項３】
前記第１の茎部及び前記第２の茎部の下端が一体となって固定されていること
を特徴とする請求項２記載の水引花。
【請求項４】
前記第１の茎部及び前記第２の茎部の下端に固定された鉢を有すること
を特徴とする請求項２又は３記載の水引花。
【考案の詳細な説明】
【技術分野】
【０００１】
本考案は、仏壇や室内の飾り花として利用される水引花に関する。
【背景技術】
【０００２】
造花は、一般的に慶弔用の飾り物としても、室内用の飾り物としても使用されている。しかし、縁起をかついだ素材を利用した造花というものは見られない。
【０００３】
例えば、特許文献１の開示技術では、かなめ部で綴り合わされた数本の骨を広げて紙を張った折り畳み可能な扇子形の花びらを有する造花が提供される。この考案では、生花をそのままかたどった従来の生花よりも慶事用の飾り物として縁起の良い興趣に富んだ造花を得ることができる。
【０００４】
ところで、慶弔用の祝儀袋や結納の置物には、一般的に水引が使用される。水引は、紙縒りに糊をひいて乾かし固めた紙紐に人絹を巻いたもの又は、紙紐に金箔を巻いたものであり、贈り物の包み紙を結んだり、封筒に付けられたりして使用される。水引の起源は、小野妹子が隋から帰った際に、同行した答礼使が持参した貢ぎ物に結ばれた紅白の麻紐にあり、そこから宮廷への献上品には紅白の麻紐で結ぶ習慣が生まれ、室町時代に麻紐の代わりに紙縒りに糊水を引いた水引になったと言われる。このため、水引は、古くより贈り物等に使われてきた和の伝統素材であり、思いを託して水引を結ぶ風習は、日本人の美しい心の表れとも言える。この意味では、水引は、人と人との心が結ばれることを願って使用されるものであり、大切な人への思いや幸せへの願いのこもった縁起の良い素材である。
【０００５】
例えば、特許文献２の開示技術では、木製の底板の周縁部に水引が多重に巻き回されて側周部を構成する皿型装飾品が提供される。皿型装飾品に水引きを利用することにより、祝宴の料理や生花などを、趣向を凝らし縁起良く上品で個性的なものとして演出している。
【先行技術文献】
【特許文献】
【０００６】
【特許文献１】実公平７−４５５２９号公報
【特許文献２】実用新案登録第３０６４２５６号公報
【考案の概要】
【考案が解決しようとする課題】
【０００７】
ところで、特許文献１の開示技術では、扇子形の花びらは縁起が良いものの、実際の生花の代替としての飾り花という点では、花びらの形状が一般的な花とかけ離れているという問題点があった。
【０００８】
また、特許文献２の開示技術では、皿型装飾品に和の伝統素材の水引を使用している。しかし、この水引を素材として使用した装飾品は、各種あるものの、生花の代替としての飾り花に使用された事例は見当たらない。
【０００９】
一方、仏壇等に飾る花は、一般的には生花が多い。しかし、生花は、時間が経つと枯れてしまい最終的にはゴミとなる。また、仏壇に飾る花を造花にすることもできるが、何の謂れもない造花とすることにも抵抗がある場合がある。
【００１０】
そこで、本考案は、上述した問題点に鑑みて案出されたものであり、その目的とする
ところは、縁起の良い和の伝統素材である水引を使用して、慶弔の場や家の各所を色鮮やかに飾る水引花を提供することにある。
【課題を解決するための手段】
【００１１】
前記課題を解決するために、本考案に係る水引花は、次のように構成する。
【００１２】
本願第１の考案は、第１の茎部の上端に固定された花部を備え、少なくとも一部が水引で形成されていることを特徴とする。
【００１３】
本願第２の考案は、第１の考案において、第１の茎部と異なる第２の茎部の上端に固定された葉部を備え、葉部は、少なくとも一部が水引で形成されていることを特徴とする。
【００１４】
本願第３の考案は、第２の考案において、第１の茎部及び第２の茎部の下端が一体となって固定されていることを特徴とする。
【００１５】
本願第４の考案は、第２又は第３の考案において、第１の茎部及び第２の茎部の下端に固定された鉢を有することを特徴とする。
【考案の効果】
【００１６】
第１又は第２の考案によると、第１の茎部、花部、第２の茎部、葉部が、全体又は一部が水引を使用していることにより、古くより慶弔の場に贈り物等に使用されてきた和の伝統素材である水引を、縁起が良い素材として飾り花に使用して、上品に各所を演出することができる。また、水引は、色落ちや変色がしにくいため、通常の造花よりも長く使用することができる。更に、水引花は、職人の手作りで一つひとつ丁寧に作られるため、飾る場所に応じた大きさや形状を作成することができコンパクトな花飾りとして作ることができる。
【００１７】
第３の考案によると、第１の茎部及び第２の茎部の下端が一体となって固定されていることにより、持ち運びがしやすく、また他人に提供する際に、花束として提供することができる。
【００１８】
第４の考案によると、第１の茎部及び第２の茎部の下端に固定された鉢を有することで置物として、安定して各所に飾ることができる。
【図面の簡単な説明】
【００１９】
【図１】本考案を適用した水引花を仏壇に使用した場合の正面図である。
【図２】本考案を適用した水引花の斜視図である。
【図３】本考案を適用した水引花の正面図である。
【図４】本考案を適用した水引花の平面図である。
【考案を実施するための形態】
【００２０】
以下、本考案の実施の形態に係る水引花について、図面を参照しながら詳細に説明する。
【００２１】
図１は、本考案を適用した水引花を仏壇に使用した場合の正面図である。図２は、本考案を適用した水引花の斜視図である。図３は、本考案を適用した水引花の正面図である。図４は、本考案を適用した水引花の平面図である。
【００２２】
図１に示す仏壇１００は、その内部に置物として本考案に係る水引花１が飾られている。
【００２３】
仏壇１００は、仏壇本体１０１と、仏壇本体１０１の周辺に設けられる周辺用具１０６から構成される。
【００２４】
仏壇本体１０１は、前面に両開きする２つの扉１０４を有する箱体１０３と、箱体１０３の下部に引き出し１０５とを備える。
【００２５】
箱体１０３は、扉１０４を開くとその内部に空間を有する収納部１０２を有する。箱体１０３は、木製、鋼製、又はその複合素材から形成される。
【００２６】
収納部１０２は、内部に観音像等が描かれた各種掛け軸、位牌又は各種供え物等を配置できる棚を有する。図１に示す水引花１は、この収納部１０２の棚に設けられている。
【００２７】
図１に示す引き出し１０５は、箱体１０３の下部に二つ設けられ、その内部に線香やお経等の各種仏事に必要な道具の収納場所として使用される。
【００２８】
図1に示す周辺用具１０６は、例えばおりんを示している。しかし、これに限定されることなく木魚や各種棚等を設けてもよい。図１に示す水引花１は、仏壇本体１０１の箱体１０３の収納部１０２に設けられているが、この周辺用具１０６として設けられた棚などに飾ってもよい。
【００２９】
水引花１は、鉢５と、鉢５にその下端を固定された水引花本体１０とから構成される。
【００３０】
図２に示す鉢５は、鉢本体５１と、鉢本体５１の上端まで充たされた用土部５２とから構成される。
【００３１】
鉢本体５１は、平面視で略円形状であり、全体は御椀形状をしている。鉢５は、例えば陶器製で作られている。しかし、これに限定されることなく、水引花本体１０を挿して下端を固定することができるものであれば、如何なる形状、大きさ、素材であってもよい。
【００３２】
用土部５２は、土等を表現するために、例えば、紙粘土とおがくずで構成される。しかし、これに限定されることなく、用土部５２は、水引花本体１０を固定できるものであれば如何なる素材であってもよい。
【００３３】
水引花１は、茎部及び葉部の下端に固定された鉢５を有することで置物として、安定して各所に飾ることができる。
【００３４】
水引花本体１０は、鉢５の用土部５２の上端の略中央にその下端が固定された茎部４２ｃ、４２ｅ、４３ｂ、４４ａと、茎部４３ｂの上端に固定された茎部４２ｂと、茎部４４ａの上端に固定された茎部４２ａ及び茎部４３ａと、茎部４２ａの上端に固定された花部２ａと、茎部４２ｂの上端に固定された花部２ｂと、茎部４２ｃの上端に固定された花部２ｃと、茎部４２ｃの下端から上端までの間に分岐させた先端に固定された花部２ｄと、茎部４２ｅの上端に固定された花部２ｅと、茎部４３ａの上端に固定された葉部３ａと、茎部４３ｂの上端に固定された葉部３ｂと、鉢５の上端に固定された葉部３ｃとを備える。
【００３５】
茎部４２ａ、４２ｂ、４２ｃ、４２ｅ、４３ａ、４３ｂ、４４ａは、各種水引を１本又は複数本を接着して1本として、その外側を例えば、緑色又は茶色のフローラテープで巻くことにより補強して茎を形成している。しかし、このフローラテープは、これに限定されることなく、接着された水引を補強できる素材であれば、如何なる色や素材であってもよい。
【００３６】
花部２ａは、めしべ２１ａと、めしべ２１ａの外周近傍にめしべ２１ａを覆うように設けられたおしべ２２ａと、おしべ２２ａの外周近傍におしべ２２ａを覆うように設けられた花びら２３ａと、花びら２３ａの下端に設けられたがく２４ａとを備える。
【００３７】
めしべ２１ａ、おしべ２２ａは、それぞれ白色、黄色の水引1本を略楕円形状に折り曲げながら、一般的な生花のめしべ、おしべに似せた形状にして形成される。また、花びら２３ａは、同種の赤色の水引を３本組み合わせて略円弧状に折り曲げ、当該略円弧状の水引を複数重ね合わせて、一般的な生花の花びらに似せた形状にして形成される。しかし、これに限定されることなく、モチーフとする花の種類によって、色、形状、大きさ、めしべ、おしべ、花びらそれぞれの数が形成される。
【００３８】
がく２４は、花びら２３ａの下端にある水引を例えば、緑色のフローラテープで巻くことで形成される。しかし、このフローラテープは、これに限定されることなく、花部２ａ全体を支えて茎部４２ａとつなぐことができる素材であれば、如何なる色や素材であってもよい。
【００３９】
花部２ｂは、おしべ２２ｂ、おしべ２２ｂの外周近傍におしべ２２ｂを覆うように設けられた花びら２３ｂと、花びら２３ｂの下端に設けられたがく２４ｂとを備える。花部２ｂは、花部２ａとは花びらの色が赤ではなく紫を主体としている点とめしべがない点で花の種類が異なる。
【００４０】
おしべ２２ｂ、花びら２３ｂ、がく２４ｂは、花部２ａの各構成要素と同様であるため、花部２ａの構成を引用することにより、構成の説明を省略する。
【００４１】
花部２ｃは、蕾２５ｃと、蕾２５ｃの下端に設けられた花２６ｃとを備える。
【００４２】
蕾２５ｃは、略球状の形状をしており、例えば素材は白色のビーズからなる。しかし、これに限定されることなく、生花の蕾を表現できる素材であれば、如何なる色、形状、素材であってもよい。
【００４３】
花２６ｃは、白色の水引1本の上端を蕾２５ｃの下端に接着されて固定され、その下端は茎部４２ｃの上端に繋がっている。
【００４４】
花部２ｄは、蕾２５ｄと、蕾２５ｄの外周近傍に蕾２５ｄを覆うように設けられた花２６ｄとを備える。
【００４５】
蕾２５ｄは、蕾２５ｃの構成要素と同様であるため、蕾２５ｃの構成を引用することにより、構成の説明を省略する。
【００４６】
花２６ｄは、例えば、白色の水引を３本組み合わせて折り曲げつつ、蕾２５ｄを覆うように形成されている。しかし、これに限定されることなく、蕾の外周部を表現できる素材であれば、如何なる色、形状、素材であってもよい。
【００４７】
花部２ｅは、例えば、紫色を主体とした水引を鎖状により合せながら略棒状に形成される。水引花本体１０における花部２ｅは、２つ設けられており、それぞれの下端が一体化されて鉢５の用土部５２の上端略中央に固定されている。
【００４８】
葉部３ａは、葉の色である緑色を主体とした同種の水引を２本組み合わせて略円弧状に折り曲げながら重ね合わせて、一般的な生花の葉に似せた形状にして形成される。水引花本体１０における葉部３ａは、２つ設けられている。
【００４９】
葉部３ｂは、葉の色である緑色を主体とした同種の水引４本を接着して、その下端を例えば、緑色のフローラテープを巻いて茎部４３ｂを形成させ、この茎部４３ｂが鉢５の用土部５２の上端略中央に固定されている。また、葉部３ｂは、鉢５の用土部５２より上方に略直線状に延長されて形成される。水引花本体１０における葉部３ｂは、３つ設けられており、それぞれの下端が一体化されて緑色のフローラテープで巻かれた茎部４３ｂの上端につながっている。
【００５０】
葉部３ｃは、葉の色である緑色を主体とした同種の水引３本を接着して鉢５の用土部５２より上方に略直線状に延長されて形成される。水引花本体１０における葉部３ｃは、２つ設けられており、それぞれの下端が一体化されて鉢５の用土部５２の上端略中央に固定されている。
【００５１】
水引花１は、茎部、花部、葉部の全体又は一部が水引を使用していることにより、古くより慶弔の場に贈り物等に使用されてきた和の伝統素材である水引を、縁起が良い素材として飾り花に使用して、上品に各所を演出することができる。
【００５２】
また、水引は、素材として色落ちや変色がしにくいため、水引花本体１０は、通常の造花よりも長く使用することができる。
【００５３】
更に、水引花１は、職人の手作りで一つひとつ丁寧に作られるため、飾る場所に応じた大きさや形状を作成することができコンパクトな花飾りとして作ることができる。
【００５４】
また、水引花本体１０は、花部、茎部、葉部のそれぞれの下端が一体となって固定されていることにより、持ち運びがしやすく、また他人に提供する際に、花束として提供することができる。
【００５５】
水引花１の構成は、一例として説明してきたが、上述した色、大きさ、形状に限定されることなく、一般的な生花を参考にしながら、各種の花、葉、茎等の形状に似せて形成することができる。
【００５６】
仏壇に飾る花として人と人の縁を結ぶという意味を持つ水引素材を利用した水引花１は、縁起が良く上品に仏壇を演出することができる。また、水引は、多種多様な色の素材があるため、水引花により黒色や茶色を主体とする仏壇を色鮮やかに飾ることができる。
【００５７】
図１に示す水引花１は、仏壇の飾り物として使用している例を示しているが、これに限定されることなく、水引花１は、例えば室内飾り又は玄関飾りとしてもその場を色鮮やかに飾ることができる。
【００５８】
次に水引花１の組み立て方について説明する。
【００５９】
まず、１本の水引、又は２本以上の水引の場合は接着して太い1本の水引としてその周囲を緑色又は茶色のフローラテープで巻くことにより茎部４２ａ、４２ｂを形成する。
【００６０】
次に、各種所望の花の色・形状・大きさに合せて、１〜３本の水引を折り曲げて組み合わせながら花部２ａ、２ｂ、２ｅを形成する。この花部２ａ、２ｂの下端からそれぞれ茎部４２ａ、４２ｂを接着させて、その接着部を更に緑色のフローラテープで巻くことで花部２ａ、２ｂのそれぞれのがく２４ａ、２４ｂを形成する。
【００６１】
この花部２ｅの下端から１本の水引を接着させて、当該接着部からは鉢５の用土部５２に向けて緑色のフローラテープで巻くことで茎部４２ｅを形成する。この花部２ｅと茎部４２ｅの組み合わせは、２つ形成する。
【００６２】
花部２ｃ、２ｄは、白色のビーズを蕾２５ｃ、２５ｄとして形成する。その後、蕾２５ｃのビーズの下端に白色の水引1本を接着して花２６ｃとし、蕾２５ｄのビーズの下端の外周を白色の水引３本を重ねて覆って花２６ｄとして形成する。この蕾２５ｄと花２６ｄの組み合わせは２つ形成する。
【００６３】
また、２本の水引を折り曲げて重ねながら葉部３ａを３つ形成し、それぞれの下端を緑色のフローラテープで巻くことにより茎部４３ａを３つ形成する。
【００６４】
ここで、花２６ｃの下端から鉢５の用土部５２に向けて緑色のフローラテープを巻きつつ、その略中央から２つの花２６ｄの下部と葉部３ａの茎部４３ａとを一体化させて更に緑色のフローラテープで巻くことで茎部４２ｃとして形成する。
【００６５】
更に、茎部４２ａと２つの茎部４３ａを一体化してその外周を茶色のフローラテープで巻くことにより茎部４４ａを形成する。また、この茶色のフローラテープは、花部２ａのがく２４ａの下端の茎部４２ａとの接続部まで巻き上げられている。
【００６６】
また、４本の水引を接着して直線状に延ばして葉部３ｂを３つ作り、３本の水引を接着して直線状に延ばして葉部３ｃを２つ作る。この３つの葉部３ｂの下端近傍を茎部４２ｂと一体化させ、その外周を更に緑色のフローラテープで巻くことにより茎部４３ｂを形成する。
【００６７】
そして、茎部４３ｂと茎部４４ａと茎部４２ｃと茎部４２ｅと２つの葉部３ｃの下端を一体化させて１本の茎として水引花本体１０を形成する。
【００６８】
また、鉢５の鉢本体５１を陶器で略御椀形状に作り、その中に紙粘土を敷き詰めてその紙粘土で充たされた上端におがくずを散りばめて用土部５２を形成して、鉢本体５１と用土部５２を合わせて鉢５を形成する。
【００６９】
その後、鉢本体５１の上端に水引花本体１０の下端を挿し込み、紙粘土が固まることにより水引花本体１０を固定して、水引花１が完成する。
【００７０】
上述の水引花１の組み立て方は、水引花本体１０を完成させてから鉢５に挿す場合を示しているが、１つの葉部や茎部を形成して、個々に鉢５に挿して最後に紙粘土が固まることにより水引花１として形成してもよいのは勿論である。
【００７１】
以上、本考案の実施形態の例について詳細に説明したが、前述した実施形態は、何れも本考案を実施するにあたって具体化の例を示したものに過ぎず、これらによって本考案の技術的範囲が限定的に解釈されてはならないものである。
【符号の説明】
【００７２】
１          水引花
２ａ、２ｂ、２ｃ、２ｄ、２ｅ    花部
３ａ、３ｂ、３ｃ    葉部
５          鉢
１０        水引花本体
２１ａ      めしべ
２２ａ、２２ｂ    おしべ
２３ａ、２３ｂ    花びら
２４ａ、２４ｂ    がく
２５ｃ、２５ｄ    蕾
２６ｃ、２６ｄ    花
４２ａ、４２ｂ、４２ｃ、４２ｅ、４３ａ、４３ｂ、４４ａ    茎部
５１        鉢本体
５２        用土部
１００      仏壇
１０１      仏壇本体
１０２      収納部
１０３      箱体
１０４      扉
１０５      引き出し
１０６      周辺用具
【図１】
0003181388.tif 000003
【図２】
0003181388.tif 000004
【図３】
0003181388.tif 000005
【図４】
0003181388.tif 000006